(57)【要約】【課題】シャッタの案内性を維持しながら、電源コンタクト及び信号コンタクトを十分に離間させることができる電気コネクタを提供する。【解決手段】電気コネクタ１は、相手コネクタを受容する受容凹部２２を有するハウジング２と、受容凹部内に形成された突出部２３に沿って配置された信号コンタクト３１と、受容凹部の長手方向端部に配置された電源コンタクト３２と、信号コンタクト及び電源コンタクトを隠す前進位置及び信号コンタクト及び電源コンタクトを露出させる後退位置間を受容凹部内で移動可能なばね付勢されたシャッタ４とを具備し、突出部と電源コンタクトとの間にシャッタを案内するポスト２４を設けた。【選択図】図１
2014235974.tif 000002
【特許請求の範囲】
【請求項１】
相手コネクタを受容する受容凹部を有するハウジングと、前記受容凹部内に形成された突出部に沿って配置された信号コンタクトと、前記受容凹部の長手方向端部に配置された電源コンタクトと、前記信号コンタクト及び前記電源コンタクトを隠す前進位置及び前記信号コンタクト及び前記電源コンタクトを露出させる後退位置間を前記受容凹部内で移動可能なばね付勢されたシャッタとを具備する電気コネクタであって、
前記突出部と前記電源コンタクトとの間に前記シャッタを案内するポストを設けたことを特徴とする電気コネクタ。
【請求項２】
前記電源コンタクトは、前記ポストに対向する平面を有すると共に、前記受容凹部を画定する前記ハウジングの内壁に埋設されることを特徴とする請求項１記載の電気コネクタ。
【発明の詳細な説明】
【技術分野】
【０００１】
本発明は電気コネクタ、特にシャッタを有する電気コネクタに関する。
【背景技術】
【０００２】
シャッタ付きの電気コネクタとして、例えば特許文献１に開示された電気コネクタがある。この電気コネクタのハウジングは、その長手方向中央部に信号用コンタクトを配した複数の第１突出部を有すると共に、それら第１突出部の両端に電源用コンタクトを配した複数の第２突出部を有する。この電気コネクタには、コンタクトへの塵埃の付着を防止するようコンタクトが露出しないようにするために、相手コネクタに向かってばね付勢されたシャッタが設けられる。シャッタは、コンタクトを隠す前進位置と、相手コネクタに押圧されてコンタクトを露出する後退位置との間を第１及び第２の突出部により案内されながら移動可能である。
【先行技術文献】
【特許文献】
【０００３】
【特許文献１】特開２００６−４８４２号公報
【発明の概要】
【発明が解決しようとする課題】
【０００４】
ところが、特許文献１記載の電気コネクタにおいては、電源用コンタクト及び信号用コンタクトが十分に離間していない。このため、電源及び信号間の必要な空間距離が確保できないという問題がある。
【０００５】
従って、本発明は、上述の問題に鑑みてなされたものであり、シャッタの案内性を維持しながら、電源コンタクト及び信号コンタクトを十分に離間させることができる電気コネクタを提供することを目的とする。
【課題を解決するための手段】
【０００６】
本発明に係る電気コネクタは、相手コネクタを受容する受容凹部を有するハウジングと、前記受容凹部内に形成された突出部に沿って配置された信号コンタクトと、前記受容凹部の長手方向端部に配置された電源コンタクトと、前記信号コンタクト及び前記電源コンタクトを隠す前進位置及び前記信号コンタクト及び前記電源コンタクトを露出させる後退位置間を前記受容凹部内で移動可能なばね付勢されたシャッタとを具備し、前記突出部と前記電源コンタクトとの間に前記シャッタを案内するポストを設けたことを特徴とする。
【０００７】
また、前記電源コンタクトは、前記ポストに対向する平面を有すると共に、前記受容凹部を画定する前記ハウジングの内壁に埋設されてもよい。
【発明の効果】
【０００８】
本発明によれば、突出部と電源コンタクトとの間にシャッタを案内するポストを設けたことにより、シャッタの案内性を維持しながら、電源コンタクト及び信号コンタクトを十分に離間させることができる。
【図面の簡単な説明】
【０００９】
【図１】本発明に係る電気コネクタを示し、シャッタが前進位置にある状態の斜視図である。
【図２】図１の電気コネクタを示す（Ａ）平面図、（Ｂ）正面図、（Ｃ）右側面図である。
【図３】図２（Ａ）の３−３線に沿った断面図である。
【図４】図２（Ａ）の４−４線に沿った断面図である。
【図５】シャッタが後退位置にある状態の図１の電気コネクタを示す斜視図である。
【図６】相手コネクタの斜視図である。
【図７】図６の相手コネクタを示す（Ａ）平面図、（Ｂ）正面図、（Ｃ）右側面図である。
【図８】図７（Ａ）の８−８線に沿った断面図である。
【発明を実施するための形態】
【００１０】
以下、添付図面を参照して本発明を例示により説明する。
【００１１】
図１は、シャッタが前進位置にある状態の本発明に係る電気コネクタを示す斜視図である。図２は、図１の電気コネクタを示す（Ａ）平面図、（Ｂ）正面図、（Ｃ）右側面図である。図３は、図２（Ａ）の３−３線に沿った断面図である。図４は、図２（Ａ）の４−４線に沿った断面図である。なお、図４においては、前進位置のシャッタ及び後退位置のシャッタの双方が図示される。図５は、シャッタが後退位置にある状態の図１の電気コネクタを示す斜視図である。
【００１２】
本発明の一実施形態に係る電気コネクタ１は、例えばノートブック型パーソナルコンピュータの底面に設けられる電気コネクタである。電気コネクタ１は、ハウジング２、コンタクト３（信号コンタクト３１及び電源コンタクト３２）、シャッタ４、トーションばね５、及びシェル６を具備する。
【００１３】
ハウジング２は、液晶ポリマ等の適当な樹脂から形成され、ほぼ直方体の形状をなす。ハウジング２の中央部には、四方の壁２１により画定された受容凹部２２が形成されている。受容凹部２２には、その底壁から上方へ延びると共にハウジング２の長手方向に沿って２列に延びる突出部２３が設けられる。突出部２３とハウジング２の長手方向両端の壁２１との間には、ほぼ四角柱状のポスト２４が設けられる。
【００１４】
コンタクト３は、それぞれ銅合金等の導電性金属板を打抜き加工及び曲げ加工して形成された信号コンタクト３１及び電源コンタクト３２からなる。信号コンタクト３１は、ハウジング２の突出部２３に沿って配置された接触部３１１及びハウジング２の外に延びる表面実装型の基板接続部３１２を有する。電源コンタクト３２は、ハウジング２の長手方向両端の壁２１の内壁の溝内に埋設された接触部３２１、ハウジング２の底面から下方へ延びる基板接続部３２２、及び壁２１に圧入固定される固定部３２３を有する。接触部３２１は、ハウジング２のポスト２４に対向する平面３２４を有する。接触部３２１の先端には傾斜部３２５が形成される。この傾斜部３２５は、ハウジング２の壁２１の溝の対応傾斜部に係合して、接触部３２１のポスト２４への倒れ込みを防止する。
【００１５】
シャッタ４は、液晶ポリマ等の適当な樹脂から形成され、薄い板状をなす。図４に示されるように、シャッタ４は、上昇した前進位置及び下降した後退位置との間をハウジング２の受容凹部２２内で移動可能である。シャッタ４の中央部には、ハウジング２の突出部２３及びポスト２４がそれぞれ貫通する開口４３，４４が形成されている。シャッタ４の長手方向端部には、後述する相手コネクタ７（図６参照）のガイドポスト８６を誘い込む傾斜部４５が形成されている。
【００１６】
シャッタ４を相手コネクタ７に向かって付勢するトーションばね５は、コイル状の本体部５１、並びに本体部５１から延びる第１アーム５２及び第２アーム５３を有する。本体部５１は、ハウジング２の長手方向両端近傍に形成された収容部２５に収容される。第１アーム５２は、ハウジング２の収容部２５に隣接する溝２６内に固定される。第２アーム５３の先端はシャッタ４の底面に係合する。
【００１７】
シェル６は、導電性金属板を打抜き加工及び曲げ加工して形成される。シェル６は、ハウジング２の外表面の大部分を覆って、電気コネクタ１をシールドする。シェル６には、ハウジング２の収容部２５に収容されたばね５の本体部５１を上方から押えてばね５を抜止めする押え部６１が設けられる。
【００１８】
ハウジング２のポスト２４は、信号コンタクト３１の接触部３１１を整列させる突出部２３と、電源コンタクト３２との間に設けられる。このため、シャッタ４の開口４４との係合により、シャッタ４の案内性を維持すると共に、信号コンタクト３１及び電源コンタクト３２を十分に離間させて必要な空間距離を確保する。加えて、ポスト２４が突出部２３及び電源コンタクト３２間に配置されることにより、活電部である電源コンタクト３２に指等がアクセスすることを阻止することができる。
【００１９】
次に、図１の電気コネクタ１の嵌合相手のコネクタ（以下、相手コネクタという）７について説明する。図６は、電気コネクタ１の相手コネクタ７の斜視図である。図７は、図６の相手コネクタ７を示す（Ａ）平面図、（Ｂ）正面図、（Ｃ）右側面図である。図８は、図７（Ａ）の８−８線に沿った断面図である。
【００２０】
相手コネクタ７は、例えばドッキングステーション側に設けられる電気コネクタである。相手コネクタ７は、ハウジング８、コンタクト９（信号コンタクト９１及び電源コンタクト９２）、及びシェル９５を具備する。
【００２１】
ハウジング８は、液晶ポリマ等の適当な樹脂から形成され、ほぼ直方体の形状をなす。ハウジング８の側面の下端には、外方へ突出する基板取付け部８２が設けられる。ハウジング８の上面の中央部には、電気コネクタ１の突出部２３及びポスト２４をそれぞれ受容する凹部８３，８４が形成される。
【００２２】
コンタクト９は、それぞれ銅合金等の導電性金属板を打抜き加工及び曲げ加工して形成された信号コンタクト９１及び電源コンタクト９２からなる。信号コンタクト９１は、ハウジング８の凹部８３に沿って配置された接触部９１１及びハウジング８の外に延びる表面実装型の基板接続部９１２を有する。電源コンタクト９２は、ハウジング８の長手方向両端から露出する接触部９２１、ハウジング８の底面から下方へ延びる基板接続部９２２、及びハウジング８の溝８５内に圧入固定される固定部９２３を有する。接触部９２１は、その先端部が円弧状に形成された弾性接触部である。
【００２３】
ハウジング８は、電源コンタクト９２の接触部９２１の直ぐ上にガイドポスト８６を有する。ガイドポスト８６の外側には面取り部８６１が形成される。ガイドポスト８６の面取り部８６１は、電気コネクタ１のシャッタ４の傾斜部４５により誘い込まれる。このため、パーソナルコンピュータの底面等の目視困難な位置に電気コネクタ１があっても、電気コネクタ１及び相手コネクタ７を容易に嵌合させることができる。
【００２４】
シェル９５は、導電性金属板を打抜き加工及び曲げ加工して形成される。シェル９５は、ハウジング８の外表面の大部分を覆って、相手コネクタ７をシールドする。
【００２５】
以上、本発明の実施形態に係る電気コネクタ及び相手コネクタについて詳述したが、本発明はこれらの実施形態に限定することを意図しておらず、種々の変形が可能である。例えば、本発明の上述の実施形態では、電気コネクタのシャッタはトーションばねにより付勢されていたが、コイルばね等の別のタイプのばねで付勢されてもよい。
【符号の説明】
【００２６】
１      電気コネクタ
２      ハウジング
２２    受容凹部
２３    突出部
２４    ポスト
３１    信号コンタクト
３２    電源コンタクト
３２４  平面
４      シャッタ
７      相手コネクタ
【図１】
2014235974.tif 000003
【図２】
2014235974.tif 000004
【図３】
2014235974.tif 000005
【図４】
2014235974.tif 000006
【図５】
2014235974.tif 000007
【図６】
2014235974.tif 000008
【図７】
2014235974.tif 000009
【図８】
2014235974.tif 000010